(57)【要約】【課題】二次電池の充電中の装着を確実に防止できる立体映像視聴用眼鏡を提供する。【解決手段】立体映像視聴用眼鏡１０は、二次電池から供給される電力によって開閉駆動するシャッター方式のレンズ１５Ｒ，１５Ｌを有した眼鏡フレーム１１を備えている。眼鏡フレームは、二次電池を充電するための充電端子２７を有している。そして、充電端子に外部電源からのプラグが接続された際に、このプラグが眼鏡使用者の顔に対向する側に突出する。【選択図】図２
2013229713.tif 000002
【特許請求の範囲】
【請求項１】
二次電池から供給される電力によって開閉駆動するシャッター方式のレンズを有した眼鏡フレームを備え、
該眼鏡フレームは、前記二次電池を充電するための充電端子を有し、該充電端子に外部電源からのプラグが接続された際に、該プラグが眼鏡使用者の顔に対向する側に突出することを特徴とする立体映像視聴用眼鏡。
【請求項２】
請求項１に記載の立体映像視聴用眼鏡であって、
前記充電端子は前記プラグを接続するための開口を有し、該開口が前記眼鏡使用者の顔に対向するフレーム内面に設けられていることを特徴とする立体映像視聴用眼鏡。
【請求項３】
請求項１又は２に記載の立体映像視聴用眼鏡であって、
前記シャッターを開閉駆動させるレンズ駆動回路と、
前記開閉駆動用の電力を前記レンズ駆動回路に供給可能な駆動制御回路とをさらに備え、
該駆動制御回路は、前記プラグが前記充電端子に接続され、前記外部電源からの通電を検知した場合、前記レンズ駆動回路への電力の供給を停止する
ことを特徴とする立体映像視聴用眼鏡。
【請求項４】
請求項１又は２に記載の立体映像視聴用眼鏡であって、
前記シャッターを開閉駆動させるレンズ駆動回路と、
前記充電端子内の圧力を検知可能なスイッチ素子とをさらに備え、
前記プラグが前記充電端子に接続され、前記スイッチ素子が所定圧で押圧された場合、前記レンズ駆動回路への電力の供給が停止されることを特徴とする立体映像視聴用眼鏡。
【発明の詳細な説明】
【技術分野】
【０００１】
本発明は、立体映像視聴用眼鏡に関し、詳細には、充電ケーブルのプラグに接続され、外部電源からの電力を用いて充電可能に構成された立体映像視聴用眼鏡に関する。
【背景技術】
【０００２】
近年、映画やテレビ番組の立体映像技術が普及している。立体映像の視聴には種々の方式があり、例えば、シャッター方式のレンズを有した立体映像視聴用眼鏡が知られている。表示画面は、右眼用の映像と左眼用の映像とを交互に表示し、同時に、眼鏡は、右眼のシャッターと左眼のシャッターとを交互に開閉する。右眼と左眼との間隔によって生ずる両眼視差を利用することにより、立体映像の視聴を実現している（アクティブシャッター方式とも言う）。
【０００３】
このシャッターを開閉駆動するための電源には、電池を利用する場合が多い。この電池には、その消耗時に交換を要するボタン電池等の一次電池、あるいは、その消耗時に充電を要する二次電池があるが、再利用可能な環境面での利点を考慮し、二次電池、例えば、リチウムイオン電池を採用した眼鏡が多く製品化されている。このリチウムイオン電池は、サイズや重量などの点で他の二次電池よりも優れている。
【０００４】
一方、二次電池は、満充電時には大量のエネルギーを有する。そして、破裂や発火の事故が実際に発生しやすいのは、大電流が流れ、かつ、発熱を伴う充電時であると言われている。特に、リチウムイオン電池は、例えば、アルミラミネートフィルムのケースに封入されているだけであり、強い衝撃に伴って比較的簡単に内部短絡し、破裂などを招きやすくなる。
ここで、二次電池内の充電池セルや周辺回路には、安全措置が幾重にも施されており、実際の事故例は極めて少ない。しかし、二次電池を収納した眼鏡は使用者の顔に装着して使用されるものであり、万一、顔の近傍で破裂や発火の事故が発生すると、重大な致傷を負わせるという懸念がある。
【０００５】
例えば、特許文献１には、充電端子を眼鏡フレームのノーズパッド部分に設置した技術が開示されている。この充電端子はノーズパッド部分に下方に向けて開口するように穿設されており、眼鏡の外観に影響を与えない位置に設けられている。仮に、外部電源に接続する充電ケーブルのプラグを用いて二次電池に充電する場合、プラグをノーズパッド部分の下方から上方に向けて充電端子に差し込むことになる。このため、プラグや充電ケーブルがノーズパッド部分から眼鏡フレームの外部に突出することになる。
【先行技術文献】
【特許文献】
【０００６】
【特許文献１】特開２０１２−４７１７号公報
【発明の概要】
【発明が解決しようとする課題】
【０００７】
しかしながら、特許文献１に記載の眼鏡では、プラグや充電ケーブルがノーズパッド部分から突出していても、このノーズパッド部分が鼻に触れないようにノーズパッド部分の位置をずらせば、眼鏡を顔に装着することが可能であり、また、レンズ越しの視界もプラグや充電ケーブルによって遮られない。このように、特許文献１に記載の眼鏡では、二次電池に充電しながら眼鏡を顔に装着し、立体映像を視聴可能になるという問題が依然として残されている。
【０００８】
本発明は、上述の如き実情に鑑みてなされたもので、二次電池の充電中の装着を確実に防止できる立体映像視聴用眼鏡を提供することを目的とする。
【課題を解決するための手段】
【０００９】
上記課題を解決するために、本発明の第１の技術手段は、二次電池から供給される電力によって開閉駆動するシャッター方式のレンズを有した眼鏡フレームを備え、該眼鏡フレームは、前記二次電池を充電するための充電端子を有し、該充電端子に外部電源からのプラグが接続された際に、該プラグが眼鏡使用者の顔に対向する側に突出することを特徴とする立体映像視聴用眼鏡である。
【００１０】
第２の技術手段は、第１の技術手段において、前記充電端子は前記プラグを接続するための開口を有し、該開口が前記眼鏡使用者の顔に対向するフレーム内面に設けられていることを特徴とするものである。
【００１１】
第３の技術手段は、第１又は２の技術手段において、前記シャッターを開閉駆動させるレンズ駆動回路と、前記開閉駆動用の電力を前記レンズ駆動回路に供給可能な駆動制御回路とをさらに備え、該駆動制御回路は、前記プラグが前記充電端子に接続され、前記外部電源からの通電を検知した場合、前記レンズ駆動回路への電力の供給を停止することを特徴とするものである。
【００１２】
第４の技術手段は、第１又は２の技術手段において、前記シャッターを開閉駆動させるレンズ駆動回路と、前記充電端子内の圧力を検知可能なスイッチ素子とをさらに備え、前記プラグが前記充電端子に接続され、前記スイッチ素子が所定圧で押圧された場合、前記レンズ駆動回路への電力の供給が停止されることを特徴とするものである。
【発明の効果】
【００１３】
本発明によれば、充電端子は、接続したプラグを眼鏡使用者の顔に向けて突出させる。このプラグが突出した状態では、仮に、眼鏡使用者が眼鏡を顔に掛けようと試みても、プラグが顔に当たって眼鏡を装着できない。さらに、プラグによってレンズ越しの視界も遮られ、視聴し難くなる。これにより、二次電池の充電中における眼鏡の装着を確実に防止でき、安全な充電環境を提供することができる。
【図面の簡単な説明】
【００１４】
【図１】本発明による立体映像視聴用眼鏡の外観斜視図である。
【図２】本発明による立体映像視聴用眼鏡の背面図である。
【図３】本発明による立体映像視聴用眼鏡の構成図である。
【図４】本発明による立体映像視聴用眼鏡の充電状態を説明する図である。
【図５】本発明の他の例による立体映像視聴用眼鏡の充電状態を説明する図である。
【発明を実施するための形態】
【００１５】
以下、図面を参照しながら本発明の立体映像視聴用眼鏡について説明する。図１は、本発明による立体映像視聴用眼鏡の外観斜視図であり、図２は、本発明による立体映像視聴用眼鏡の背面図である。
図１，２中、１０は立体映像視聴用眼鏡、１１は眼鏡フレーム、１２Ｒ，１２Ｌはリム、１３はブリッジ、１４Ｒ，１４Ｌはテンプル、１５Ｒ，１５Ｌはシャッター方式のレンズ、１６Ｒ，１６Ｌはノーズパッドであり、図２中、１１ａはフレーム内面、２７は充電端子である。
【００１６】
眼鏡フレーム１１は、リム１２Ｒ，１２Ｌ、ブリッジ１３、及びテンプル１４Ｒ，１４Ｌを有する。リム１２Ｒは眼鏡使用者の右眼に、リム１２Ｌは眼鏡使用者の左眼にそれぞれ対向し、リム１２Ｒ，１２Ｌは並んで配置されている。
リム１２Ｒの内周部分には、右眼のシャッター方式のレンズ１５Ｒが配置される。このシャッターは、例えば、液晶で構成され、電力の供給によって開閉駆動可能に構成されている。
【００１７】
また、リム１２Ｒの外周部分には、眼鏡使用者の鼻に接触可能なノーズパッド１６Ｒが設置されている。
なお、リム１２Ｌの内周には、左眼のシャッター方式のレンズ１５Ｌが配置される。このシャッターも、例えば、液晶で構成されており、電力の供給によって開閉駆動可能である。リム１２Ｌの外周部分には、眼鏡使用者の鼻に接触可能なノーズパッド１６Ｌが設置される。
【００１８】
ブリッジ１３は、ノーズパッド１６Ｒ，１６Ｌの上方にて、リム１２Ｒ，１２Ｌの外周部分を連結している。
図１，２に示したリム１２Ｒ，１２Ｌでは、ブリッジ１３による連結位置の反対側が、例えば、眼鏡使用者のこめかみを覆うように、後方に向けてそれぞれ延びている。
テンプル１４Ｒは、眼鏡使用者の右耳に接触可能であり、この後方に延びたリム１２Ｒの端部分に回動自在に支持されている。なお、リム１２Ｌの端部分にも、眼鏡使用者の耳に接触可能なテンプル１４Ｌが回動自在に支持されている。
【００１９】
ここで、図２に示すように、眼鏡フレーム１１は眼鏡使用者の顔に対向するフレーム内面１１ａを有する。フレーム内面１１ａは、上述した構成で言えば、眼やこめかみに対向するリム１２Ｒ，１２Ｌ、の裏面及び眉間に対向するブリッジ１３の裏面に亘って形成される。
そして、このフレーム内面１１ａにおいて、例えば、ブリッジ１３には、充電端子２７が穿設されている。
【００２０】
充電端子２７は、右眼用や左眼用の映像を表示する表示画面（図示省略）とは反対側に位置する、例えば、ブリッジ１３の裏面に四角形状の開口を有し、このブリッジ１３の裏面に対して略垂直方向に延びた穴が眼鏡フレーム１１に穿設されている。充電端子２７は、後述する充電ケーブルのプラグに挿入されることにより、外部電源（例えば、５ＶのＡＣ電源、図示省略）からの電力が眼鏡フレーム１１内に充電される。
【００２１】
図３は、本発明による立体映像視聴用眼鏡の構成図である。
図中、２１は電源スイッチ、２２はヒューズ、２３は充電制御回路、２５は駆動制御回路、２６はレンズ駆動回路、２７は充電端子、３１は二次電池であり、眼鏡フレーム１１内に配置されている。また、二次電池３１において、３２は充電池セル、３３は保護回路、３４は保護ＩＣ、３５，３６はサーミスタである。
【００２２】
電源スイッチ２１は、立体映像視聴用眼鏡１０のオン・オフ作動を切り替え、その切り替え結果は、駆動制御回路２５に出力される。
充電制御回路２３は、ヒューズ２２や二次電池３１に接続され、二次電池３１の充電状態を監視し、充電を制御する。
駆動制御回路２５は、外部電源からの電力と二次電池３１からの電力とを切り替え可能に構成されており、外部電源あるいは二次電池３１からの電力をレンズ駆動回路２６に供給する。
【００２３】
レンズ駆動回路２６は、レンズ１５Ｒ，１５Ｌのシャッターを開閉駆動させる（アクティブシャッター方式）。詳しくは、右眼用の映像が表示画面に表示された場合には、レンズ１５Ｌの左眼のシャッターが閉じ、右眼用の映像だけをレンズ１５Ｒから視せる。一方、左眼用の映像が表示画面に表示された場合、レンズ１５Ｒの右眼のシャッターが閉じ、左眼用の映像だけをレンズ１５Ｌから視せることができる。
【００２４】
ここで、充電端子２７は、例えば、ＵＳＢ（Universal Serial Bus）端子で構成され、外部電源からの電力は充電端子２７を経由して充電制御回路２３や駆動制御回路２５に出力される。充電制御回路２３に出力された電力は二次電池３１に供給可能である。
二次電池３１は、レンズ駆動回路２６に開閉駆動用の電力を供給可能なＤＣ電源、例えば、３．７Ｖのリチウムイオン電池であり、その充電池セル３２が例えば、アルミラミネートフィルムのケースに封入されている。
【００２５】
充電池セル３２は、保護回路３３を介して充電制御回路２３に接続される。保護回路３３は、サーミスタ３５で検出された温度に基づいて作動する保護ＩＣ３４と、渦電流の監視と遮断を行うサーミスタ３６を有し、二次電池３１の充電時における安全装置として機能する。
そして、充電ケーブル４０のプラグ４１が充電端子２７に挿入されていない場合、電源スイッチ２１をオンにすると、二次電池３１からの電力が駆動制御回路２５に供給され、次いで、レンズ駆動回路２６に供給されてレンズ１５Ｒ，１５Ｌのシャッターが開閉する。
【００２６】
この電源スイッチ２１のオンの状態において、プラグ４１が充電端子２７に挿入された場合には、駆動制御回路２５では、二次電池３１からの電力が外部電源からの電力に切り替わる。このため、この外部電源からの電力が駆動制御回路２５に供給され、次いで、レンズ駆動回路２６に供給されてレンズ１５Ｒ，１５Ｌのシャッターが開閉可能になる。また、外部電源からの電力は、充電制御回路２３を経由して二次電池３１に供給されるので、充電池セル３２に充電可能である。
【００２７】
これに対し、充電ケーブル４０のプラグ４１が充電端子２７に挿入されていない場合、電源スイッチ２１をオフの状態では、二次電池３１から駆動制御回路２５を経由したレンズ駆動回路２６への電力の供給が停止されることから、レンズ１５Ｒ，１５Ｌのシャッターは開閉しない。
この電源スイッチ２１のオフの状態において、プラグ４１が充電端子２７に挿入された場合、外部電源からの電力が充電制御回路２３を経由して二次電池３１に供給され、充電池セル３２に充電される。なお、電源スイッチ２１がオフであるため、レンズ１５Ｒ，１５Ｌのシャッターは開閉しない。
【００２８】
図４は、本発明による立体映像視聴用眼鏡の充電状態を説明する図である。
外部電源からの電力を二次電池に充電する場合には、この外部電源側に接続された充電ケーブル４０のプラグ４１を、立体映像視聴用眼鏡１０の背面側から充電端子２７に挿入する。充電端子２７は、接続したプラグ４１を眼鏡使用者の顔に向けて突出させる。このプラグ４１が突出した状態では、仮に、眼鏡使用者が眼鏡を顔に掛けようと試みても、プラグ４１や充電ケーブル４０が眼鏡使用者の眉間に当たって眼鏡を装着できない。さらに、プラグ４１や充電ケーブル４０によってレンズ越しの視界も遮られ、視聴し難くなる。これにより、視聴するしないに拘わらず、二次電池の充電中における眼鏡の装着を確実に防止できる。
【００２９】
図５は、本発明の他の例による立体映像視聴用眼鏡の充電状態を説明する図である。図４では、充電端子をブリッジに設けた例を挙げて説明したが、充電端子をリムに設けることもできる。
詳しくは、図５（Ａ）に示すように、充電端子２７を、左眼に対向するリム１２Ｌのうち、テンプル１４Ｌの支持位置の近傍に設置、あるいは、図５（Ｂ）に示すように、充電端子２７を、右眼に対向するリム１２Ｒのうち、テンプル１４Ｒの支持位置の近傍に設置する。
【００３０】
この場合には、プラグ４１や充電ケーブル４０が眼鏡使用者のこめかみに当たって眼鏡を装着できず、眼鏡を外した状態で充電せざるを得ない。さらに、プラグ４１や充電ケーブル４０によってレンズ越しの視界も遮られる。したがって、この場合にも、図４の例と同様に、二次電池を用いた眼鏡の安全性を確実に確保することができる。
なお、充電端子は、フレーム内面１１ａに限定されず、Ｌ型のプラグを用いる場合には、例えば、ノーズパッド部分あるいはリム等に下方に向けて開口するように穿設されてもよい。この場合にも、充電端子に接続したプラグは眼鏡使用者の顔に対向する側に突出するからである。
【００３１】
ところで、レンズ１５Ｒ，１５Ｌを駆動させる電気回路側において、充電ケーブルのプラグが充電端子に挿入された際には、シャッターの駆動を禁止することも可能である。
図３に戻り、電源スイッチ２１のオンの状態において、プラグ４１が充電端子２７に挿入された場合、外部電源からの電力が充電制御回路２３を経由して二次電池３１に供給されるが、外部電源からの電力は駆動制御回路２５を経由してレンズ駆動回路２６に供給されている。
【００３２】
ここで、駆動制御回路２５が、仮に、外部電源から充電制御回路２３への通電も監視可能に構成されている場合には、この充電制御回路２３への通電の検知に伴い、二次電池３１の充電を充電制御回路２３に許可する。同時に、駆動制御回路２５からレンズ駆動回路２６への電力の供給を停止し、外部電源からの電力によるシャッターの駆動を停止させる。
なお、駆動制御回路２５が、充電制御回路２３への通電監視機能を有していない場合には、外部電源から駆動制御回路２５自身への通電を検知したとき、レンズ駆動回路２６への電力の供給を停止してもよい。
【００３３】
このように、充電端子２７の配置に加え、充電端子２７への挿入をソフトウエアで検知してシャッターの駆動が禁止可能になれば、二次電池を用いた眼鏡の安全性をより一層確実に確保することができる。
あるいは、充電端子２７が、充電端子内の圧力を検知可能なスイッチ素子（図示省略）を備えていた場合には、電源スイッチ２１のオンの状態において、プラグ４１が充電端子２７に挿入され、スイッチ素子で所定圧の押圧状態が検知されたとき、外部電源と駆動制御回路２５との接続線を一時的に遮断してもよい。
【００３４】
外部電源と駆動制御回路２５との接続線が一時的に遮断されても、プラグ４１が充電端子２７に挿入されているときには、充電中の二次電池３１から駆動制御回路２５への電力の供給は停止されたままであるので、シャッターの駆動を停止できる。このように、充電端子２７の配置に加え、充電端子２７への挿入を物理的検知してシャッターの駆動を禁止可能にしてもよい。
【符号の説明】
【００３５】
１０…立体映像視聴用眼鏡、１１…眼鏡フレーム、１１ａ…フレーム内面、１２Ｒ，１２Ｌ…リム、１３…ブリッジ、１４Ｒ、１４Ｌ…テンプル、１５Ｒ、１５Ｌ…レンズ、１６Ｒ，１６Ｌ…ノーズパッド、２１…電源スイッチ、２２…ヒューズ、２３…充電制御回路、２５…駆動制御回路、２６…レンズ駆動回路、２７…充電端子、３１…二次電池、３２…充電池セル、３３…保護回路、３４…保護ＩＣ、３５，３６…サーミスタ、４０…充電ケーブル、４１…プラグ。
【図１】
2013229713.tif 000003
【図２】
2013229713.tif 000004
【図３】
2013229713.tif 000005
【図４】
2013229713.tif 000006
【図５】
2013229713.tif 000007